(57)【要約】【課題】ユーザがデジタル放送受信機で視聴中の番組に合わせて、視聴中の番組に関連する番組を円滑に検索できるようにする。【解決手段】デジタル放送受信機１００は、該デジタル放送受信機で受信再生する番組を検索する検索処理を行う機能を有し、該検索処理で使用する検索条件のパターンを番組のジャンルごとに区別して予め記憶しており、該デジタル放送受信機で受信再生中の番組に関連する番組を検索する際には、該受信再生中の番組のジャンルを識別し、識別したジャンルに対応する検索条件のパターンを検索方法の項目としてメニュー表示する。【選択図】図１
2008098793.tif 000002
【特許請求の範囲】
【請求項１】
コンテンツを識別あるいは関連付けるコンテンツ情報を検索するコンテンツ情報検索手段と、
前記コンテンツ情報を組み合わせて検索条件とした検索パターンを提示する検索パターン提示手段と、
前記提示した検索パターンを選択する検索パターン選択手段とを備え、
前記選択された検索パターンの検索条件を用いて該コンテンツ情報検索手段によりコンテンツを検索することを特徴とする受信装置。
【請求項２】
請求項１に記載の受信装置であって、
前記コンテンツ情報は、少なくともコンテンツのジャンルまたはキーワードであることを特徴とするデジタル放送受信機。
【請求項３】
請求項１に記載の受信装置であって、
前記コンテンツ情報は、ＣＭを再生中に取得した特定の番組のジャンルや番組名やキーワードであることを特徴とする受信装置。
【請求項４】
請求項１に記載の受信装置であって、
前記コンテンツ情報は、ＣＭを再生中に、前記ＣＭの映像、音声及び字幕を認識することにより取得した特定の番組のジャンルや番組名やキーワードであることを特徴とする受信装置。
【請求項５】
請求項１に記載の受信装置であって、
前記コンテンツ情報の１つ以上が共通する複数のコンテンツをグループに分類するコンテンツ分類手段を備え、
ユーザが選択あるいは再生するコンテンツに関連するコンテンツを検索する際には、前記検索パターン提示手段が前記ユーザが選択あるいは再生するコンテンツが属するグループに応じて前記検索パターンを提示することを特徴とする受信装置。
【請求項６】
請求項１に記載の受信装置であって、
ネットワークを介した通信を行う通信手段を備え、前記コンテンツ情報検索手段が該通信手段により受信したコンテンツあるいはコンテンツ情報を検索することを特徴とする受信装置。
【請求項７】
請求項１に記載の受信装置であって、
前記コンテンツや前記コンテンツ情報を記録できる記録手段を備え、前記コンテンツ情報検索手段が該記録手段により記録したコンテンツあるいはコンテンツ情報を検索することを特徴とする受信装置。
【請求項８】
請求項１に記載の受信装置であって、
特定のコンテンツを事前に予約して記録できる予約記録手段を備え、検索したコンテンツが将来放送されるコンテンツである際には、前記予約記録手段により該コンテンツの記録を予約することを特徴とする受信装置。
【請求項９】
コンテンツ及びコンテンツのジャンルに関するジャンル情報を入力する入力部と、
前記入力部により入力された前記コンテンツ、前記ジャンル情報、及び前記ジャンル情報ごとに対応付けられた番組検索メニューに関する情報を記憶する記憶部と、
前記入力部により入力されたコンテンツ及び前記記憶部により記憶された前記番組検索メニューに関する情報を表示する表示部と、
前記表示部により表示された前記番組検索メニューに関する情報を選択する選択部と、
前記選択部により選択された番組検索メニューを用いてコンテンツを検索して、前記検索されたコンテンツを前記表示部に表示する指示を行う、あるいは前記検索されたコンテンツを前記記憶部に記憶する指示を行う制御部とを備えることを特徴とする受信装置。
【請求項１０】
コンテンツ及びコンテンツのジャンルに関するジャンル情報を入力する入力部と、
前記入力部により入力された前記コンテンツ、前記ジャンル情報、及び前記ジャンル情報ごとに対応付けられたコンテンツ検索に関する検索情報を記憶する記憶部と、
前記入力部により入力されたコンテンツ及び前記コンテンツのジャンルに対応した前記検索情報を同一画面上に表示する表示部と、
前記表示部により表示された前記検索情報を選択する選択部と、
前記選択部により選択された検索情報を用いてコンテンツを検索して前記検索されたコンテンツを前記表示部に表示する指示を行う、あるいは前記検索されたコンテンツを前記記憶部に録画するための予約指示を行う制御部とを備えることを特徴とする受信装置。
【発明の詳細な説明】
【技術分野】
【０００１】
本発明は、デジタル放送を受信再生する受信装置に関し、特に、ユーザが放送を視聴中に、視聴中の番組のジャンルに応じた番組検索用のメニューを表示することにより、ネットワークを経由して受信再生するコンテンツや録画済みの番組の中から、視聴中の番組に関連するもの円滑に探すことを可能とした受信装置に関する。
【背景技術】
【０００２】
従来のデジタル放送受信機等の受信装置では、ユーザが所望の番組を検索しようとする際に、番組名や番組出演者などに関連があるキーワードをユーザが指定することにより、デジタル放送受信機が放送中及び録画済みの番組やネットワークを介して配信されているコンテンツの中から、タイトルや番組情報にキーワードに一致する情報を含む番組の検索がなされる。
【０００３】
例えば特許文献１には、番組を蓄積可能な受信装置において、番組中のキーワードに対応し、当該キーワードと関連する関連情報が付加された番組を受信し、ユーザからの要求に従い視聴される番組中のキーワードに係る情報を、前記関連情報に基づいて蓄積されている番組の中から検索し、検索されたキーワードに係る情報を表示出力する受信装置が開示される。ここに開示される受信装置は、キーワードと関連する関連情報が付加された番組から前記関連情報を用いて番組が検索されるものである。
【０００４】
【特許文献１】特開２００２−３２５２１４号公報
【発明の開示】
【発明が解決しようとする課題】
【０００５】
従来のデジタル放送受信機では、録画済みの番組やネットワークを経由して受信再生するコンテンツの中から、視聴中の番組に関連する番組を検索するためには、番組の一覧表示などで番組タイトルを閲覧してユーザ自身が検索を行うか、もしくは視聴中の番組に関連するキーワードをユーザが指定することによりキーワードに関連する番組タイトルや番組出演者名を有する番組を検索する必要がある。
【０００６】
このため、ユーザが視聴中の番組に関連する番組を検索する際に、キーワードを入力する手間が生じ、特に放送回を特定して検索する際などには、その放送日時を特定して検索条件に加えるなどの必要があるため操作が煩雑になってしまう。そのため、いかにして所望の番組の検索を円滑に行なうかという課題が生じる。
【０００７】
本発明は、上記の問題に鑑みなされたものであり、その目的は、ユーザが視聴中の番組に関連する番組の検索を円滑に行えるようにすることである。
【課題を解決するための手段】
【０００８】
上記目的を達成するため、本願発明を実施すればよい。本願発明の代表的な概要は、以下の通りである。
【０００９】
例えば、コンテンツを識別あるいは関連付けるコンテンツ情報を検索し、そのコンテンツ情報を組み合わせて検索条件とした検索パターンを予め記憶させておく。そして、その検索パターンをユーザに提示し、ユーザはその提示検索パターンを選択できるようにする。そして、選択された検索パターンによりコンテンツを検索するように構成する。
【００１０】
また、例えば、コンテンツ及びコンテンツのジャンルに関するジャンル情報を入力する入力部と、前記入力部により入力された前記コンテンツ、前記ジャンル情報、及び前記ジャンル情報ごとに対応付けられた番組検索メニューに関する情報を記憶する記憶部と、前記入力部により入力されたコンテンツ及び前記記憶部により記憶された前記番組検索メニューに関する情報を表示する表示部と、前記表示部により表示された前記番組検索メニューに関する情報の中から一のジャンルに対応する番組検索メニューに関する情報を選択する選択部と、前記選択部により選択された番組検索メニューを用いてコンテンツを検索して、前記検索されたコンテンツを前記表示部に表示する指示を行う、あるいは前記検索されたコンテンツを前記記憶部に記憶する指示を行う制御部とを備えるように構成する。
【００１１】
ここで、番組検索メニューは、例えば、図４で説明するように、視聴中の番組ジャンルが「ドラマ」では、「過去のクール」や「過去放送分」や「次回予告」などのメニューから構成される。
【００１２】
また、例えば、コンテンツ及びコンテンツのジャンルに関するジャンル情報を入力する入力部と、前記入力部により入力された前記コンテンツ、前記ジャンル情報、及び前記ジャンル情報ごとに対応付けられたコンテンツ検索に関する検索情報を記憶する記憶部と、前記入力部により入力されたコンテンツ及び前記コンテンツのジャンルに対応した前記検索情報を同一画面上に表示する表示部と、
前記表示部により表示された前記検索情報を選択する選択部と、前記選択部により選択された検索情報を用いてコンテンツを検索して前記検索されたコンテンツを前記表示部に表示する指示を行う、あるいは前記検索されたコンテンツを前記記憶部に録画するための予約指示を行う制御部とを備えるように構成すればよい。
【発明の効果】
【００１３】
本発明によれば、ユーザが視聴中の番組に関連する番組の検索を円滑に行える受信機を提供することができる。
【発明を実施するための最良の形態】
【００１４】
（実施形態１）
コンテンツを受信可能な受信機について図を用いて説明する。なお、ここでは、デジタル放送されるコンテンツを受信するデジタル放送受信機について説明するが、コンテンツの配信形態は、地上波放送されるもののみならず、いったん放送されたコンテンツをケーブルやネットワークで再送信する形態や、ＶＯＤ（Video On Demand）のようにインターネット経由でダウンロードするような形態であってもよい。  
また、本実施形態における「コンテンツ」とは、例えば、ドラマやスポーツ、映画などの番組や宣伝ＣＭなどを想定しているが、映像データ又は音声データから構成されるものであって視聴者に提供されるものであれば何でもよい。
【００１５】
本実施形態のデジタル放送受信機１００は、地上波、衛星等で送出されるデジタル放送を受信し視聴可能な端末であり、図１に示すように、リモコン１０１、地上波放送受信アンテナ１０２、衛星放送受信アンテナ１０３、コンテンツ配信サーバ１０４、ネットワーク１０５、番組検索メニュー画面１０６、番組検索メニュー画面１０７、番組検索メニュー画面１０８、によりデジタル放送受信機１００で放送を視聴する際の関連設備との接続環境や動作の概要が示される。
【００１６】
リモコン１０１は、当該リモコン１０１が備える所定のボタンが押下されることにより、前記ボタンの種類に応じた信号をデジタル放送受信機１００に送信し、ユーザがデジタル放送受信機１００に所望の動作を指示するため装置である。
【００１７】
地上波放送受信アンテナ１０２は、地上波で伝送される放送波を受信し、受信した信号をデジタル放送受信機１００に伝送する。
【００１８】
衛星放送受信アンテナ１０３は、放送衛星から伝送される放送波を受信し、受信した信号をデジタル放送受信機１００に伝送する。
【００１９】
コンテンツ配信サーバ１０４は、映像や音声を含み汎用的なデジタル放送受信機で再生可能なデータ形式のコンテンツを蓄積し、いわゆるストリーミングなどのコンテンツ配信方法を用いて、前記コンテンツをネットワーク１０５を介してデジタル放送受信機に配信する。
【００２０】
ネットワーク１０５は、コンテンツ配信サーバ１０４が配信するコンテンツをデジタル放送受信機１００に伝送するための、例えばインターネット等の通信経路である。
【００２１】
番組検索メニュー画面１０６は、後述する受信再生中の番組に関連した番組をネットワーク１０５で配信されている番組から検索する際に、ユーザがリモコン１０１を操作して選択可能な項目から構成されるメニュー画面の表示の様子を示しており、再生中の番組のジャンルがドラマに分類される番組の番組検索を行う際のメニュー画面の表示を示している。
【００２２】
番組検索メニュー画面１０７は、番組検索メニュー画面１０６と同様のメニュー画面の表示の様子を示しており、再生中の番組のジャンルがスポーツに分類される番組の番組検索を行う際のメニュー画面の表示を示している。
【００２３】
番組検索メニュー画面１０８は、番組検索メニュー画面１０６と同様のメニュー画面の表示の様子を示しており、再生中の番組のジャンルがバラエティに分類される番組の番組検索を行う際のメニュー画面の表示を示している。
【００２４】
デジタル放送受信機１００は、図２に示すように、デジタル放送受信部２００、ネットワーク通信部２０１、デジタル放送信号処理部２０２、音声処理部２０３、スピーカ２０４、映像処理部２０５、表示部２０６、システム制御部２０７、データ保存部２０８、リモコン受信部２０９、メニュー描画部２１０、を備える。
【００２５】
デジタル放送受信部２００は、所望の放送波をアンテナで受信し、アンテナから得られる信号に基づき、後述するデジタル放送信号処理部２０２でデジタル処理が可能なデータを復元する回路である。
【００２６】
ネットワーク通信部２０１は、ネットワークに対し所定のデータを送受信し、映像や音声を含むコンテンツのデータを受信した際には、後述するデジタル放送信号処理部２０２でデジタル処理が可能なデータを復元する回路である。
【００２７】
デジタル放送信号処理部２０２は、デジタル放送受信部２００またはネットワーク通信部２０１からデジタル放送のデータを入力し、当該データに含まれる音声データと映像データとを分離し、それぞれ、音声処理部２０３と映像処理部１２０５で処理可能なデータ形式に変換して出力する。
【００２８】
音声処理部２０３は、デジタル放送信号処理部２０２から供給されたデジタル音声データをアナログ音声データに変換し、スピーカ２０４に出力する。
【００２９】
スピーカ２０４は、音声処理部２０３から供給されたアナログ音声データを音声に変換して放音する。
【００３０】
映像処理部２０５は、デジタル放送信号処理部２０２から供給された映像データを、表示部２０６で処理可能な形態に変換して出力する。
【００３１】
表示部２０６は、例えば、液晶表示パネルとドライバとから構成され、映像処理部２０５から供給される映像データが定義する映像を表示する。
【００３２】
システム制御部２０７は、メモリ等を内蔵するマイクロプロセッサ等から構成され、デジタル放送の再生や所定の機能の実行に必要な処理部の動作を制御する。
【００３３】
データ保存部２０８は、フラッシュメモリ等から構成され、受信したデジタル放送の番組情報の一時的な記憶や各処理部の動作に必要なデータを記憶する。また、データ保存部２０８には、後述する番組を検索する検索処理を行う際に、検索処理で使用する検索条件のパターンが番組のジャンルごとに区別して記憶されている。
【００３４】
リモコン受信部２０９は、リモコン１０１が送出する信号を受信し、該信号に応じた情報をシステム制御部２０７に通知する。
【００３５】
メニュー描画部２１０は、システム制御部２０７から所定のメニュー画面の表示の支持を受けることにより、該メニュー画面の画像を映像データとして描画し、該映像データを既存の映像データとの重ね合わせ、もしくは切替えて表示するために、映像処理部２０５対して出力する。
【００３６】
また、デジタル放送受信機１００は、後述する通り、受信再生中の番組に関連した番組をネットワーク１０５で配信されている番組から検索する機能を有する受信機であり、図３に示すように、番組映像３００、操作選択メニュー３０１、ユーザ選択項目３０２、検索結果表示画面３０３、ユーザ選択番組３０４、によりデジタル放送受信機１００で前記検索を行う際のメニュー画面の構成やメニュー画面の画面遷移の概要が示される。
【００３７】
番組映像３００は、デジタル放送受信機１００が受信中の番組を表示部２０６に表示した映像である。
【００３８】
操作選択メニュー３０１は、ユーザがデジタル放送受信機１００に対して行なうことができる操作の一覧を表示するメニューである。
【００３９】
ユーザ選択項目３０２は、番組検索メニュー画面１０６において、ユーザがリモコン１０１を介してメニュー項目の選択操作を行なったことにより、選択されている項目を示している。
【００４０】
検索結果表示画面３０３は、前記検索を行った結果、検索内容に該当した番組を一覧表示した画面表示の構成を示している。
【００４１】
ユーザ選択番組３０４は、検索結果表示画面３０３において、ユーザがリモコン１０１を介して項目及び番組の選択操作を行なったことにより、選択されている番組を示している。
【００４２】
データ保存部２０８には、後述する番組を検索する検索処理を行う際に、検索処理で使用する検索条件のパターンが番組のジャンルごとに区別して記憶されており、図４に示すように、視聴番組４００、ジャンル分類４０１、ドラマジャンル４０２、番組検索メニューの項目４０３、ドラマジャンルの番組検索メニューの項目４０４、メニュー項目からの遷移後の表示の分類４０５、ユーザ選択項目に対応する表示４０６、によりデジタル放送受信機１００で前記検索処理を行う際の検索条件のパターンの分類の概要が示される。
【００４３】
視聴番組４００は、デジタル放送受信機１００で受信再生中の番組がジャンル４０１のいずれかのジャンルに相当を示すために概念的に示した視聴中の番組である。
【００４４】
ジャンル４０１は、放送波で伝送される番組情報に記述され、放送の規格等で定められる放送を運用する上で規定されている番組のジャンルの分類を概念的に示している。
【００４５】
ドラマジャンル４０２は、ジャンル４０１の中で、ドラマに分類されるジャンルを示している。
【００４６】
番組検索メニューの項目４０３は、前記検索処理のメニューの項目として表示部２０６に表示され、データ保存部２０８に予め記憶されている前期検索処理で使用する検索条件のパターンと対となる。また、ジャンル４０１に対応して各ジャンルに対応する項目が区別される。
【００４７】
ドラマジャンルの番組検索メニューの項目４０４は、番組検索メニューの項目４０３のうちでドラマジャンル４０２に対応するものを示している。
メニュー項目からの遷移後の表示４０５は、番組検索メニューの項目４０３を表示部２０６に表示し、この項目のひとつがユーザに選択された際に、表示部２０６の画面表示から遷移して表示される画面表示の内容を示している。
【００４８】
ユーザ選択項目に対応する表示４０６は、後述する検索処理において、ひとつの例としてユーザがドラマのジャンル４０１に分類される番組の過去放送分の番組を検索した際に、検索結果として画面表示される表示の概要を示している。また、当該表示の概観は検索結果表示画面３０３となる。
【００４９】
また、前記ジャンル４０１で分類されるそれぞれのジャンルについて、デジタル放送受信機１００で前記検索を行う際のメニュー画面の構成やメニュー画面の画面遷移の概要を図５に示す。図５は図３と同様の構成を用いており、５０１は映画のジャンルに分類される番組の一例であり、５０２はバラエティのジャンルに分類される番組の一例であり、５０３は音楽のジャンルに分類される番組の一例であり、５０４は教育のジャンルに分類される番組の一例を示している。
【００５０】
また、データ保存部２０８に記憶されている、該検索処理で使用する検索条件のパターンと番組検索メニューの項目４０３の対応を図６に示す。番組検索メニューの項目４０３の各項目には、放送年月、放送時間、番組名、及びその他のキーワード等で構成される検索パターン６００が関連付けられており、ユーザが該項目を選択した際に行われる検索の条件が決まっている。
【００５１】
次に、上記構成のデジタル放送受信装置１００の動作を図２、図３、図４、図６、及び図７のフローチャートを参照して説明する。
【００５２】
デジタル放送受信装置１００は、ユーザがデジタル放送番組を視聴している最中に、視聴中の番組に関連する番組を検索しようとした場合に、視聴中の番組のジャンルに応じて番組の検索を行うためのメニュー画面を表示するものである。そして、ジャンルに応じて表示されたメニュー画面からユーザが番組の検索方法を指定することにより、番組の検索を行う。
【００５３】
先ず、ユーザが所望の番組を視聴する際のデジタル放送受信機１００の動作について図２を参照して説明する。
【００５４】
ユーザが、映像音声再生装置１００に対し、リモコン１０１を介して、デジタル放送波を受信・再生することを指示したとする。
【００５５】
この指示に応答して、リモコン受信部２０９はリモコン１０１から受信したデジタル放送波の受信・再生を指示する信号を、所定の情報に置換してシステム制御部２０７に通知する。システム制御部２０７は、デジタル放送受信部２００、デジタル放送信号処理部２０２、音声処理部２０３、映像処理部２０５等に、受信処理の指示を与える。
【００５６】
システム制御部２０７からの指示に応答して、デジタル放送受信部２００は、アンテナから放送波を受信し、アンテナから得られる信号に基づき、デジタル放送信号処理部２０２でデジタル処理可能なデータを復元する。また、復元したデータをデジタル放送信号処理部２０２に供給する。
【００５７】
デジタル放送信号処理部２０２は、受信したデータに含まれる映像データや音声データを分離し、各々を所定の映像信号や音声信号に変換して出力する。また、この際に映像信号と音声信号が対応して出力されるように、各々の信号の出力のタイミングの同期を取る。
【００５８】
音声処理部２０３は、デジタル放送信号処理部２０２から受けた音声信号をスピーカ２０４の入力に適した信号に変換し出力する。これにより、スピーカ２０４から音声が出力される。
【００５９】
また、映像処理部２０５はデジタル放送信号処理部２０２から出力された映像信号を表示部２０６の入力に適した信号に変換し出力する。
【００６０】
以上の一連の動作により、デジタル放送受信機１００によりデジタル放送の受信再生がなされる。
【００６１】
この状態において、デジタル放送受信機１００で受信再生中の番組に関連する番組を、コンテンツ配信サーバ１０４で配信されている番組の中から検索する検索処理の動作の詳細について図７を参照しながら説明する。
【００６２】
先ず、検索処理ではユーザによるリモコン１０１を介した指示により、システム制御部２０７が関連番組の検索を行うためのメニューの表示をメニュー描画部２１０に指示する（ステップ７００）。当該指示は、ユーザが番組映像３００を視聴中に、操作選択メニュー３０１を表示するためのリモコン１０１の所定のボタンを押下して、操作選択メニュー３０１から視聴中の番組に関連する番組を検索する動作を指示する項目を選択することによりなされる。
【００６３】
前記項目が選択されたことにより、システム制御部２０７はデジタル放送信号処理部２０２に対して、受信中の放送波に含まれる番組情報のデータの取得を要求する。システム制御部２０７は該データを取得すると、該データを解析してデジタル放送受信機１００で再生中の番組のジャンルを特定する（ステップ７０１）。
【００６４】
システム制御部２０７は、データ保存部２０８に記憶されているデータを参照し、該ジャンルに対応する番組検索メニュー４０３を検索する（ステップ７０２）。
【００６５】
該ジャンルに対応する番組検索メニュー４０３があれば（ステップ７０２；Ｙｅｓ）、システム制御部２０７が番組検索メニュー４０３の表示をメニュー描画部２１０に指示し、メニュー描画部２１０がデータ保存部２０８の当該番組検索メニュー４０３を表示する（ステップ７０３）。
【００６６】
該番組検索メニュー４０３は、例えば、番組検索メニュー画面１０６のように表示され、ユーザはリモコン１０１を介した操作により、番組検索メニュー画面１０６の各項目から所望の検索方法を指示する（ステップ７０４）。
【００６７】
当該指示により、システム制御部２０７はデータ保存部２０８より、該指示により指定された番組検索メニューの項目のひとつに対応する検索パターン６００を参照する。さらに、該検索パターン６００を検索条件として、ネットワーク通信部２０１及びネットワーク１０５を介して、コンテンツ配信サーバ１０４に蓄積されたコンテンツから、該検索条件に該当するコンテンツを検索する（ステップ７０５）。
【００６８】
なお、視聴中の番組のジャンルに対応する番組検索メニュー４０３がデータ保存部２０８にない場合は（ステップ７０２；Ｎｏ）、検索条件として番組名のみを指定するなど、前記検索パターンには依存しない方法で上記と同様にコンテンツ配信サーバ１０４に蓄積されたコンテンツを検索する（ステップ７０６）。
【００６９】
前記検索でコンテンツが見つかった場合（ステップ７０７；Ｙｅｓ）、システム制御部２０７がメニュー描画部２１０に指示し、例えば検索結果表示画面３０３に示す構成のように、検索結果の一覧が表示される（ステップ７０８）。
【００７０】
前記検索結果表示画面３０３が表示されたことにより、ユーザはリモコン１０１を介して該前記検索結果表示画面３０３から再生するコンテンツを選択する（ステップ７０９）。
【００７１】
前記選択により、システム制御部２０７はネットワーク通信部２０１に当該コンテンツの取得を支持し、ネットワーク通信部２０１はネットワーク１０５を介して当該コンテンツを配信サーバ１０４より取得しデジタル放送信号処理部２０２に出力する。これにより、上記デジタル放送の受信再生と同様の方法で、当該コンテンツが再生される（ステップ７１０）。
【００７２】
なお、前記検索でコンテンツが見つからなかった場合は（ステップ７０７；Ｎｏ）、システム制御部２０７はメニュー描画部２１０にコンテンツが見つからない旨を示す表示の出力を指示し、表示部２０６には検索結果表示画面３０３に代わり、該表示が表示され（ステップ７１１）、検索処理を終了する（ステップ７１２）。
【００７３】
このように、デジタル放送受信機１００で視聴中の番組のジャンルに応じて、番組検索メニューの項目４０３を表示し、ユーザが該番組検索メニューの項目４０３から選択した項目に応じた検索パターン６００を用いて、コンテンツ配信サーバ１０４に蓄積さえたコンテンツを検索し、再生する。
【００７４】
これにより、ユーザがキーワードなどの検索条件を指定することなく、視聴中の番組に関連するコンテンツを検索することが可能になる。また、番組のジャンルに応じて、視聴中の番組と検索したい番組との関連内容を指定することにより、該番組に関連する番組をより特定し、円滑に検索することができる。
【００７５】
なお、上述の実施の形態では、ユーザがデジタル放送受信機１００を用いて視聴する番組は、外部から放送波として受信して再生している番組を用いたが、予め所定の方法でデータ保存部２０８に記憶された番組であってもよい。また、コンテンツの検索についても、上述の実施の形態ではコンテンツ配信サーバ１０４に蓄積されたコンテンツから検索を行うが、上記と同様にデータ保存部２０８に記憶された番組を検索対象としてもよい。
（実施形態２）
次に本発明の実施形態２について説明する。本実施形態では、実施形態１のデジタル放送受信機１００において、前述した視聴中の番組に関連する番組の検索を行うためにジャンルに応じて表示するメニュー画面を、番組の予約録画を行なうために使用するように構成されている場合について説明する。
【００７６】
以下、本実施形態を図面に基づいて説明する。また、以下において、先の実施形態と均等なものには同一の符号を付し、その説明は重複を避ける為に割愛する。
【００７７】
図８に示す実施形態２のデジタル放送受信機１００は、図２に示す実施形態１と異なり、ネットワーク通信部２０１がなくデジタル放送受信機１００はネットワーク１０５と通信及び所定のデータの送受信を行わない。
【００７８】
また、デジタル放送記録部８００が配置されており、システム制御部２０７の指示により、デジタル放送受信部２００を介してデジタル放送信号処理部２０２が受信した番組を、デジタル放送記録部８００に記録することができる。
【００７９】
実施携帯２のデジタル放送受信機１００は、後述する通り、視聴中の番組に関連する番組の録画予約をする機能を有する受信機であり、図９に示すように、操作選択メニュー９００、予約番組検索画面９０１、ユーザ選択項目９０２、検索結果表示画面９０３、ユーザ選択番組９０４、により前記録画予約を行う際のメニュー画面の構成やメニュー画面の画面繊維の概要が示される。
【００８０】
以下図８と図９及び図１０のフローチャートを参照して本実施形態の動作を説明する。本実施形態では、ユーザがデジタル放送受信機１００で放送波から受信再生する番組を視聴中に、当該番組に関連する番組の録画予約をしようとした場合に、当該番組の録画予約を行なうためのメニュー画面をジャンルに応じて表示する。
【００８１】
図１０は、各ステップにおいて、検索のためのメニューを表示していたものが、録画予約のためのメニューを表示することを除いては、本発明の実施形態１で用いた図７と同じ流れになっている。
【００８２】
図７のステップ７０２においては、システム制御部２０７はデータ保存部２０８に記憶されているデータを参照し、視聴中の番組のジャンルに該当する番組検索メニュー４０３を検索していたが、本実施形態の図１０のステップ１００２では、番組予約を行うための予約メニューを検索する（ステップ１００２）。
【００８３】
上記検索により、図７のステップ７０３においては該番組のジャンルに対応する検索メニューを表示するが、本実施形態の図１０のステップ１００３では、番組予約を行うための番組予約メニューを表示する（ステップ１００３）。この番組予約メニューは、表示部２０６において、例えば予約番組検索画面９０１のように表示される。
【００８４】
また、図７のステップ７０５においてはコンテンツ配信サーバ１０４に蓄積されたコンテンツから、前記検索パターンで示される検索条件に該当するコンテンツを検索するが、本実施形態の図１０のステップ１００５では、放送波により伝送される番組表から、前記検索パターンと同様の情報で構成される予約パターンに基づく予約条件に該当する将来放送される予定の番組が検索される。（ステップ１００５）さらに、前記検索により、ステップ１００８において表示部２０６に表示される検索結果の一覧は、例えば検索結果表示画面９０３のように表示される。（ステップ１００８）
また、図７のステップ７１０では、ネットワーク通信部２０１がネットワーク１０５を介して取得したコンテンツを再生するが、本実施形態の図１０のステップ１０１０では、ステップ１００９において例えばユーザ選択番組９０４のように選択された番組の録画予約を行う。（ステップ１０１０）。
【００８５】
このように、デジタル放送受信機１００が受信した放送を録画する仕組みを持つ場合には、視聴中の番組のジャンルに応じて該番組に関連する番組の録画予約を行うことで本発明を適用できる。
【００８６】
これにより、ユーザは録画予約の際に、ユーザ自らで番組表の検索やチャンネルや時間等を設定することなく、視聴中の番組に関連する番組の予約を行うことが可能になる。また、番組のジャンルに応じて、視聴中の番組と予約録画したい番組との関連内容を指定することにより、該番組に関連する番組をより特定し、円滑に録画予約することができる。
（実施形態３）
次に、本発明の実施形態３について説明する。本実施形態では、実施形態１のデジタル放送受信機１００において、前述した視聴中の番組に関連する番組の検索を行う際に、ユーザが視聴中の映像音声が、他の番組の広告を行う、いわゆるＣＭであり、ユーザが該ＣＭで広告される番組について前記検索を行う場合について説明する。
【００８７】
ある番組中で放送される他の番組のＣＭから該他の番組や該他の番組に関連する番組の検索を行う場合は、次に説明する理由から実施形態１で述べた関連番組の検索の方法を用いることができない。
【００８８】
一般的なデジタル放送ではＣＭは放送中の番組の一部として扱われるため、ユーザがＣＭを視聴中に実施形態１で述べた関連番組の検索を実施した際には、ＣＭが広告する他の番組ではなく、ユーザが操作した時間に放送中の番組についての前記検索が実施される。本実施形態はこのような問題に鑑みなされたものであり、その目的は前記ＣＭが広告する他の番組や他の番組に関連する番組の検索を円滑に行えるようにすることである。
【００８９】
以下、本実施形態を図面に基づいて説明する。また、以下において、先の実施形態と均等なものには同一の符号を付し、その説明は重複を避ける為に割愛する。
【００９０】
図１１は、本実施形態において、デジタル放送受信機１００がデジタル放送受信部２００を介して放送局から受信するトランスポートストリーム１１０１の構成を示している。該トランスポートストリームは放送局１１００から放送波として送出され、放送の映像や音声やいわゆるＰＳＩ／ＳＩと呼ばれる番組情報のデータが、トランスポートストリームパケット１１０２にパケット化されたデータとして伝送される。この際に、本実施形態では放送局１１００が番組中で放送しているＣＭに関する広告情報１１０３をトランスポートストリーム１１０１の中で伝送する。
【００９１】
広告情報１１０３は、トランスポートストリームパケット１１０２のひとつであり、ある番組中で放送されているＣＭが広告する番組のジャンル名や番組名やＣＭ放送時間や放送時間や配信時間が示されている。
【００９２】
以下図１１と図１２のフローチャートを参照して本実施形態の動作を説明する。本実施形態では、ユーザがデジタル放送受信機１００で放送波から受信再生する番組を視聴中に、当該番組中で放送されるＣＭで広告される他の番組や該他の番組に関連する番組を検索しようとした場合に、当該番組の検索を行なうためのメニュー画面を該番組のジャンルに応じて表示する。
【００９３】
図１２は、図７のステップ７０１がステップ１２００となっていることを除いては、本発明の実施形態１で用いた図７と同じ流れになっている。
【００９４】
ステップ７００では、実施形態１で述べた通り視聴中の番組に関連する番組を検索するためのメニューを表示するが、本実施形態ではさらに、デジタル放送受信機１００が、一般的な放送で伝送される前記番組情報中の放送時間情報や、映像、音声のデータに付加されるタイムスタンプと、前記ＣＭ放送時間とを相対的に比較することにより、再生中の映像音声が該ＣＭの映像音声であるか否かを判別する。該判別により、ユーザが該ＣＭの映像音声を視聴中と判断した際には、図１２のステップ１２００以降の処理を行う。（ステップ７００）
図７のステップ７０１においては、再生中の番組の番組情報から番組のジャンルを特定していたが、本実施形態の図１２ではシステム制御部２０７がデジタル放送信号処理部２０２を介して、トランスポートストリーム１１０１で放送局から伝送される広告情報１１０３を取得し、該広告情報１１０３に含まれるジャンル情報を用いて、ステップ７０２以降の処理を実施形態１と同様に行う。（ステップ１２００）
このように、放送局１１００が放送で広告情報１１０３を伝送する仕組みを持つ場合には、デジタル放送受信機１００が、ユーザが視聴中の番組がＣＭであるか否かを判別することにより本実施例を適用できる。
【００９５】
これにより、ユーザは番組検索を行う際に、視聴中の映像音声が特定の番組中のＣＭであった場合でも、ＣＭで広告する番組や該番組に関連する番組の検索を行うことが可能になる。
【００９６】
また、デジタル放送受信機１００が受信した放送を録画する仕組みを持つ場合には、実施形態２と同様の方法を用いて、ＣＭで広告する番組や該番組に関連する番組の録画予約することができる。
（実施形態４）
次に、本発明の実施形態４について説明する。本実施形態では、実施形態１のデジタル放送受信機１００において、前述した視聴中の番組に関連する番組の検索を行う際に、ユーザが視聴中の映像音声が他の番組の広告を行うためのいわゆるＣＭであり、ユーザが該ＣＭで広告される番組について前記検索を行う場合について説明する。実施形態３との相違は、放送局１１００が放送で広告情報１１０３を伝送しない場合であっても、前記ＣＭが広告する他の番組や他の番組に関連する番組の検索を行えることである。
【００９７】
以下、本実施形態を図面に基づいて説明する。また、以下において、先の実施形態と均等なものには同一の符号を付し、その説明は重複を避ける為に割愛する。
【００９８】
図１３は、本実施形態のデジタル放送受信機１００の構成を示しており、該デジタル放送受信機１００を構成する処理部として映像・音声・字幕解析部１３００が加えられている点が実施形態１に示す図２と異なる。
【００９９】
映像・音声・字幕解析部１３００は、デジタル放送信号処理部２０２を介して放送として受信した映像、音声、字幕のデータを受け取る。映像・音声・字幕解析部１３００は、該映像の映像中に含まれる文字を認識してキーワードを解析し、該音声からは発話の内容を認識してキーワードを解析する。また、字幕についても字幕データの中からキーワードを抽出する。なお、該キーワードは、ＣＭで広告する番組を特定できるような、番組名や放送局名や放送日時や出演者名などとなる。
【０１００】
以下図１３と図１４のフローチャートを参照して本実施形態の動作を説明する。本実施形態では、ユーザがデジタル放送受信機１００で放送波から受信再生する番組を視聴中に、当該番組中で放送されるＣＭで広告される他の番組や該他の番組に関連する番組を検索しようとした場合に、当該番組の検索を行なうためのメニュー画面を該番組のジャンルに応じて表示する。
【０１０１】
図１４は、図７のステップ７０１がステップ１４００とステップ１４０１とになっていることを除いては、本発明の実施形態１で用いた図７と同じ流れになっている。
【０１０２】
図７のステップ７０１においては、再生中の番組の番組情報から番組のジャンルを特定していたが、本実施形態の図１４では、システム制御部２０７が既存のＣＭを判別する方法を用いて再生中の映像音声がＣＭであると判断した場合には、前記映像・音声・字幕解析部１３００が先に述べたように再生中の放送の映像、音声、字幕からキーワードの抽出を行う。（ステップ１４００）
次に、システム制御部２０７が映像・音声・字幕解析部１３００から前記キーワードを受け取り、該キーワードを用いて既存の方法で予め受信したＥＰＧ情報からキーワードに該当する番組を検索する。（ステップ１４０１）
なお、システム制御部２０７が該キーワードを用いて検索する対象のデータは、ＥＰＧ情報ではなく、デジタル放送受信機１００の外部にあり、同様の情報を提供するサーバに蓄積されたデータや、実施形態１で述べたコンテンツ配信サーバ１０４と同様のサーバに蓄積された情報でもよい。
【０１０３】
この場合、システム制御部２０７はネットワーク通信部２０１を介した通信により、前記データからキーワードの検索を行う。
【０１０４】
さらにシステム制御部２０７は前記キーワードの検索の結果として得られる番組名やジャンル情報を用いて、ステップ７０２以降の処理を実施形態１と同様に行う。
【０１０５】
このように、放送局１１００が放送で広告情報１１０３を伝送しない場合であっても、デジタル放送受信機１００が、ユーザが視聴中の番組がＣＭである場合に該ＣＭの映像や音声や字幕の解析によりキーワードを抽出することにより本発明を適用できる。
【０１０６】
これにより、ユーザは番組検索を行う際に、放送局から広告に関する情報が送出されておらず、且つ、視聴中の映像音声が特定の番組中のＣＭであった場合でも、ＣＭで広告する番組や該番組に関連する番組の検索を行うことが可能になる。また、デジタル放送受信機１００が受信した放送を録画する仕組みを持つ場合には、実施形態２と同様の方法を用いて、ＣＭで広告する番組や該番組に関連する番組の録画予約することができる。
【図面の簡単な説明】
【０１０７】
【図１】実施形態１のデジタル放送受信機の動作環境を示す概観図である。
【図２】実施形態１のデジタル放送受信機の構成を示すブロック図である。
【図３】実施形態１の表示部のメニュー画面及びメニュー画面の遷移の例を示す図である。
【図４】実施形態１のメニュー画面の表示パターンを示す図である。
【図５】実施形態１の表示部のメニュー画面及びメニュー画面の遷移の例を示す図である。
【図６】実施形態１のメニュー画面と内部データの対応を示す図である。
【図７】実施形態１のデジタル放送受信機の動作を説明する流れ図である。
【図８】実施形態２のデジタル放送受信機の構成を示すブロック図である。
【図９】実施形態２の表示部のメニュー画面及びメニュー画面の遷移の例を示す図である。
【図１０】実施形態２のデジタル放送受信機の動作を説明する流れ図である。
【図１１】実施形態３のトランスポートストリームの構成を示す図である。
【図１２】実施形態３のデジタル放送受信機の動作を説明する流れ図である。
【図１３】実施形態４のデジタル放送受信機の構成を示すブロック図である。
【図１４】実施形態４のデジタル放送受信機の動作を説明する流れ図である。
【符号の説明】
【０１０８】
１００・・・デジタル放送受信機、１０１・・・リモコン、１０２・・・地上波放送受信アンテナ、１０３・・・衛星放送受信アンテナ、１０４・・・コンテンツ配信サーバ、１０５・・・ネットワーク、１０６・・・番組検索メニュー画面、１０７・・・番組検索メニュー画面、１０８・・・番組検索メニュー画面、２００・・・デジタル放送受信部、２０１・・・ネットワーク通信部、２０２・・・デジタル放送信号処理部、２０３・・・音声処理部、２０４・・・スピーカ、２０５・・・映像処理部、２０６・・・表示部、２０７・・・システム制御部、２０８・・・データ保存部、２０９・・・リモコン受信部、２１０・・・メニュー描画部、３００・・・番組映像、３０１・・・操作選択メニュー、３０２・・・ユーザ選択項目、３０３・・・検索結果表示画面、３０４・・・ユーザ選択番組、４００・・・視聴番組、４０１・・・ジャンル、４０２・・・ドラマジャンル、４０３・・・番組検索メニューの項目、４０４・・・ドラマジャンルの番組検索メニューの項目、４０５・・・メニュー項目からの遷移後の表示、４０６・・・ユーザ選択項目に対応する表示、５０１・・・映画ジャンルの番組検索メニュー画面及び画面遷移、５０２・・・バラエティジャンルの番組検索メニュー画面及び画面遷移、５０３・・・音楽ジャンルの番組検索メニュー画面及び画面遷移、５０４・・・教育ジャンルの番組検索メニュー画面及び画面遷移、６００・・・検索パターン、８００・・・デジタル放送記録部、９００・・・操作選択メニュー、９０１・・・予約番組検索画面、９０２・・・ユーザ選択項目、９０３・・・検索結果表示画面、９０４・・・ユーザ選択番組、１１００・・・放送局、１１０１・・・トランスポートストリーム、１１０２・・・トランスポートストリームパケット、１１０３・・・広告情報、１３００・・・映像・音声・字幕検索部
【図１】
2008098793.tif 000003
【図２】
2008098793.tif 000004
【図３】
2008098793.tif 000005
【図４】
2008098793.tif 000006
【図５】
2008098793.tif 000007
【図６】
2008098793.tif 000008
【図７】
2008098793.tif 000009
【図８】
2008098793.tif 000010
【図９】
2008098793.tif 000011
【図１０】
2008098793.tif 000012
【図１１】
2008098793.tif 000013
【図１２】
2008098793.tif 000014
【図１３】
2008098793.tif 000015
【図１４】
2008098793.tif 000016